(57)【要約】歯科研磨チップ(１０ｂ)が歯科駆動装置(１９)に連結されるようになっている。この装置(１９)は、(i) チップ(１０ｂ)を回転し、これによって歯を研磨する。チップ(１０ｂ)は、基端部およびその反対の末端部を有し、基端部が歯科駆動装置(１９)に連結されるようになっている支柱(１６)と、(ii)静電気植毛研磨ヘッド(２０ｂ)とを包含する。研磨ヘッド(２０ｂ)の静電植毛材料は、研磨ヘッド(２０ｂ)に対する研磨材料の保持を少なくとも一時的に増大し、これによって飛散を減少させている。
2005520623.tif 000002
【特許請求の範囲】
【請求項１】
歯科研磨処置で用いるために構成された研磨チップであって、
基端部および末端部を有し、前記基端部が歯科駆動装置に連結されるようになっている支柱と、
研磨ヘッドとを具えており、この研磨ヘッドは
前記支柱の末端部に連結される研磨ヘッド基材と、
この研磨ヘッド基材に連結される複数のファイバとを具えていることを特徴とするチップ。
【請求項２】
前記研磨ヘッド基材の少なくとも一部にある接着層が前記ファイバを前記研磨ヘッド基材に連結していることを特徴とする請求項１に記載のチップ。
【請求項３】
前記ファイバが前記接着層に植毛されていることを特徴とする請求項１に記載のチップ。
【請求項４】
前記ファイバが前記接着層に静電植毛されていることを特徴とする請求項３に記載のチップ。
【請求項５】
前記基端部が歯科ハンドピースに連結されるようになっていることを特徴とする請求項１に記載のチップ。
【請求項６】
前記ヘッド基材は、ペースト材料を受容するように形成されたキャビティを有する研磨カップ形状であることを特徴とする請求項１に記載のチップ。
【請求項７】
前記支柱が硬質の材料からなることを特徴とする請求項１に記載の研磨チップ。
【請求項８】
前記研磨ヘッド基材がゴム状弾性材料からなることを特徴とする請求項１に記載の研磨チップ。
【請求項９】
歯科研磨処置で用いるために構成された研磨チップであって、
基端部およびその反対の末端部を有し、前記基端部が歯科装置に連結されるようになっている支柱と、
植毛研磨ヘッドとを具えており、この植毛研磨ヘッドは
前記支柱の末端部に連結され、研磨ペーストを受容可能であって、患者の歯にペーストを塗布し、それによって患者の歯を研磨するため、患者の歯の近傍に配されるように構成された研磨ヘッド基材と、
この研磨ヘッド基材の少なくとも一部にある接着層と、
この接着層に植設された複数のファイバとを具えたことを特徴とするチップ。
【請求項１０】
前記ファイバが前記接着層に静電植毛されていることを特徴とする請求項９に記載のチップ。
【請求項１１】
前記支柱の基端部が歯科ハンドピースに連結されるようになっていることを特徴とする請求項９に記載のチップ。
【請求項１２】
前記ヘッド基材が研磨カップ形状であることを特徴とする請求項９に記載のチップ。
【請求項１３】
歯科研磨処置で用いるために構成され、歯科装置の回転部に連結されてこの歯科装置によって回転し、それにより患者の歯を研磨するようになっている研磨チップであって、
基端部およびその反対の末端部を有し、前記基端部が前記歯科装置の回転部に連結されるようになっている硬質の支柱と、
植毛研磨ヘッドとを具えており、この植毛研磨ヘッドは
前記支柱の末端部に連結され、研磨ペーストを受容可能であって患者の歯にペーストを塗布して患者の歯を研磨するために患者の歯の近傍に配されるように構成された可撓性の研磨ヘッド基材と、
この研磨ヘッド基材の少なくとも一部にある接着層と、
この接着層に静電付着するファイバとを具え、これら集合ファイバが研磨材料を少なくとも一時的に保持可能なファイバのネットワークを形成するようになっていることを特徴とするチップ。
【請求項１４】
前記支柱がプラスチック材料からなることを特徴とする請求項１３に記載のチップ。
【請求項１５】
前記ヘッド基材がゴム状弾性材料からなることを特徴とする請求項１３に記載のチップ。
【請求項１６】
前記ヘッド基材が研磨カップ形状であることを特徴とする請求項１３に記載のチップ。
【請求項１７】
前記ヘッド基材が研磨材料を有することを特徴とする請求項１３に記載のチップ。
【請求項１８】
歯科研磨処置で用いるために構成された研磨チップを製造する方法であって、
基端部および末端部を有し、前記基端部が歯科駆動装置に連結するようになっている支柱を用意するステップと、
この支柱の末端部に研磨ヘッド基材を連結するステップと、
この研磨ヘッド基材に複数のファイバを連結するステップとを具えたことを特徴とする方法。
【請求項１９】
複数のファイバを研磨ヘッド基材に連結するステップは、
接着層を研磨ヘッド基材の少なくとも一部に形成するステップと、
複数のファイバをこの接着層に植設するステップとを具えていることを特徴とする請求項１８に記載の方法。
【請求項２０】
前記ファイバが前記接着層に静電植毛によって植設されていることを特徴とする請求項１９に記載の方法。
【発明の詳細な説明】
【技術分野】
【０００１】
本発明は、歯科研磨処置の一部として研磨材料を患者の歯に塗布するために用いられる歯科研磨チップの分野にある。
【背景技術】
【０００２】
歯科研磨処置においては、通常、歯科研磨カップとして一般的に呼称されるような研磨チップが用いられている。このような研磨チップは、予防研磨材料を詰め込むことができるカップ形状を有する可撓性の研磨ヘッドに連結される硬質の細長い金属支柱を一般に具えている。このような支柱は、(i) 歯科医によって歯科処置中に保持されるハンドピースに連結されるようになっている一端と、(ii) 可撓性のカップに連結される他端とを有する。ハンドピースは、歯科医が歯科処置中に研磨材料を詰め込んだ可撓性のカップを患者の歯に対して押し付ける場合、この研磨チップを回転させる回転部材を有する。これにより、カップは歯の清掃および研磨中に高速度で回転する。
【発明の開示】
【発明が解決しようとする課題】
【０００３】
研磨材料を詰め込んだ研磨カップが高速で回転するため、このカップは予防材料を患者の歯に塗布する際にこれを飛散させやすい。この飛散は、非効率的な研磨材料の使用であり、患者の口内や、患者の顔および衣類、または歯科医院内に研磨材料を付着させたままにしてしまう可能性がある。従って、このために予防材料がより効率的に患者の歯に塗布されるように構成された研磨チップが必要とされている。
【０００４】
この分野における他の課題は、研磨ヘッドが歯の表面に対して過大な摩擦をもたらす可能性がしばしばあるということである。これは、歯に対する高摩擦研磨ヘッド（例えばゴム研磨ヘッド）の表面接触から結果として生ずる可能性がある。このような摩擦は、歯に過度の熱を生じさせる可能性があり、歯を損傷させたり、歯に痛みを与える可能性があり、激しい研磨を妨げたり、歯の表面を傷つける可能性がある。従って、歯を過度に研磨することなく歯の表面にペーストを塗布するための方法も同様に必要とされる。
【課題を解決するための手段】
【０００５】
本発明の研磨チップは、歯科研磨処置中に使用するために構成されている。このチップは、駆動装置が患者の歯を研磨するのに用いることができるように、この駆動装置に連結することができる。
【０００６】
このような研磨チップの１つは、(ｉ)基端部およびその反対の末端部を有し、基端部が歯科駆動装置の可動（例えば回転）部に連結されるようになっている支柱と、(ii)植毛研磨ヘッドとを含む。この植毛研磨ヘッドは、(Ａ)支柱の末端部に連結された研磨ヘッド基材と、(Ｂ)この研磨ヘッド基材の少なくとも一部に形成された接着層と、(Ｃ)この接着層によって研磨ヘッド基材に連結された植毛ファイバとを具えている。ヘッド基材の植毛は、静電植毛処理によって行われることが好ましい。
【０００７】
研磨ヘッドは、予防研磨ペーストを受容することができ、かつ患者の歯にペーストを塗布して患者の歯を研磨するために患者の歯の近傍に配されるように構成される。
【０００８】
植毛ファイバは、研磨ヘッドに対する予防材料の保持を少なくとも一時的に増大し、それによって飛散を減少させる。予防材料は、ファイバに一時的に付着することができ、それによってヘッドに対する予防材料の保持を増大している。ヘッド基材に取り付けられる個々のファイバはまた、隣接するファイバ間にペーストを捕捉することによって、ヘッドに対する予防材料の保持を増大することができる集合支持構造を形成するように組み合う。集合ファイバは、基材上の接着部分から離れて外側に突出することにより、そこに予防材料を少なくとも一時的に保持することができる都合のよいファイバネットワークを形成する。
【０００９】
ファイバはまた、(ｉ)高摩擦研磨ヘッドと歯との間の過大な接触を阻止し、(ii)より多くのペースト材料が歯と研磨ヘッドとの間に介在することを確実にすることにより、過大な摩擦を伴う歯の研磨を阻止する。さらに、一実施形態において、（例えばナイロンまたはポリエステルからなる）植毛ファイバは、（例えば熱可塑性合成ゴム材料の如きゴム状弾性材料からなる）研磨ヘッド基材に用いられる材料よりも、少ない摩擦を有する傾向がある。また一実施形態において、ヘッド基材は、植毛ファイバが装着される接着剤で覆われ、歯がペースト材料，植毛ファイバおよび／または接着剤によって接触し、これにより歯を研磨ヘッド基材自体から遮断するようになっている。
【００１０】
研磨ヘッド基材に研磨材料を含ませることができるけれども、一実施形態における研磨ヘッド基材は、研磨剤を含まないゴム状弾性材料からなる。
【００１１】
従って、本発明の１つの形態は、改善された研磨チップを提供することにある。本発明の他の形態は、より効率的な研磨チップを提供することにある。本発明の他の形態は、歯科処置中に大量の予防ペーストが飛散しない研磨チップを提供することにある。本発明の他の形態は、歯の表面に対する過大な摩擦を伴った状態で歯に対するペーストの塗布を阻止する研磨チップを提供することにある。
【００１２】
本発明のこれらおよび他の特徴は、次の説明および添付された特許請求の範囲からより完全に明白になるか、または以下に述べるような本発明の実施によって習得可能である。
【発明を実施するための最良の形態】
【００１３】
本発明の上述され、かつ他の利点が得られるようにするため、簡略的に述べられた本発明のより詳細な説明が、添付された図面に示すその特定の実施形態を参照することによってなされよう。これらの図面が単に本発明の典型的な実施形態を示し、従ってその範囲を限定するために考慮されるべきではないことを理解すべきであり、本発明は添付図面を用いてその付加的特異性と共に詳細に記述および説明されよう。
【００１４】
図１は、歯科研磨処置にて用いることができる本発明に関する複数の静電植毛研磨チップを例示している。最初のチップ１０は、静電植毛研磨カップチップの一例である。２番目のチップ１２は、静電植毛研磨ディスクチップの一例である。３番目のチップ１４は尖端を具えた静電植毛研磨チップの一例である。以下に述べるように、植毛チップを使用することにより、研磨処置中に研磨ペーストの保持を少なくとも一時的に増大し、これによって飛散を減少するというような、いろいろな利点を実現する。
【００１５】
この背景における静電植毛の利点の１つは、それぞれのヘッド基材を静電植毛することによって、ファイバがヘッド基材のそれらの接着個所に対してほぼ垂直となる同じ状態で植設されるということである。その結果、隣接するファイバが相互にほぼ平行である。このようなほぼ平行なファイバは、密集して均一に植設することができ、ペーストをファイバの間に少なくとも一時的に保持することができる。
【００１６】
静電植毛研磨チップ１０は、歯科医の駆動装置の可動（例えば回転）部材に連結される（例えば交換可能に連結される）ようになっている基端部１８を有する（例えば金属か、または例えばポリカーボネートの如きプラスチック材料を具えた）細長い硬質の支柱１６を具えている。可動（例えば回転）部材を有するこのような駆動装置の一例は、図８に示す如きハンドピース１９である。
【００１７】
基端部１８は、回転部材の受容部に対応して例えばノッチ，１つ以上の溝および／または図１に示す如き切欠部をそこに有することにより、駆動装置に連結されるように作られることができる。基端部１８をハンドピースまたは他の歯科駆動装置に連結することができる他のあらゆる形状もまた利用可能である。
【００１８】
支柱１６の末端部１７には研磨ヘッド２０が連結される。研磨ヘッド２０内に連結される支柱１６の末端部１７の部分は、例えば分割することにより、あるいは拡径されおよび／または平らにされ、そしてそこに１つ以上の溝を有することによって、これに対するヘッド２０の連結を容易にする種々の異なる形状を有することができる。
【００１９】
図１および図２にさらに示すように、ヘッド２０は、下地ヘッド基材２２を具えており、このヘッド基材はこれに連結される静電植毛材料２４を有する。ヘッド２０は、図２に示すように、そのヘッド基材２２に凹部２５を持ったカップ形状を有する。ヘッド２０は、研磨ペーストをリザーバから受け取って歯に押し付け、それによって歯を研磨する。
【００２０】
基材２２は、約４０から約７５のデュロメータ硬度を有する例えばプラスチック，天然ゴム、シリコーンゴム，SANTOPRENE，熱可塑性合成ゴムの如き可撓性材料か、成形可能な弾性材料、例えば射出成形可能，インサート成形可能，または圧縮成形可能なゴム状弾性材料や、他のゴム状弾性材料のような別のゴム状弾性材料の如き種々の異なる材料を具えることができる。一実施形態において、研磨ヘッド基材の内部に研磨材料を混入させることができるけれども、研磨ヘッド基材は研磨剤を含まないゴム状弾性材料からなる。従って、本発明の研磨チップの一例は研磨材料を含まない研磨カップである。
【００２１】
支柱に係合され、かつ患者の歯を研磨するのに適した他の種々の形状もまた、本発明で用いることができる。図１に示すように、ヘッド基材は種々の異なる形状を有することができ、カップ形，ディスク形，先端が尖った形，円形，正方形，三角形，星形，楕円形，ボール形，球形およびヘッド基材が研磨処置を行うのを援助できる他の種々の形状を含んでいる。
【００２２】
ヘッド基材２２に連結された植毛ファイバ２４は、研磨処置中に研磨ヘッド２０に対する研磨材料の保持を少なくとも一時的に増大させ、それによって飛散を減少させる。研磨材料は、ファイバに対する一時的な付着が可能であり、それによってヘッド２０に対する研磨材料の保持を増大している。個々のファイバ２４は、集合支持構造を形成するように組み合わされ、隣接するファイバの間にペーストを捕捉することによって、ヘッドに対する予防材料の保持を増大させることができる。ファイバ２４はまた、研磨ヘッド基材と歯との間の過大な接触を阻止し、より多くのペースト材料が歯と研磨ヘッドとの間に確実に介在させることによって、過大な摩擦を伴う歯の研磨を阻止する。
【００２３】
チップ１０，１２および１４は、例えばヘッド先端部が異なる形状を有するけれども、同一または類似の材料からなるヘッドを有することができる。また、静電植毛研磨チップ１２は、歯科医の駆動装置の回転部材に連結されるようになっている基端部３２を有する硬質の支柱３０を具えている。円板形状の研磨ヘッド３８が支柱３０の末端部３４に連結されている。ヘッド３８は、上述した可撓性材料の如き下地基材３６と、そこに連結される静電植毛材料４０とを具えている。
【００２４】
さらに、静電植毛研磨チップ１４は、歯科駆動装置の回転部分に連結されるようになっている基端部５２を有する硬質の支柱５０を具えている。図１の実施形態において、尖った形状の研磨ヘッド５４が支柱５０の末端部５３に連結されている。ヘッド５４は、可撓性材料の如き下地基材５６と、そこに連結される静電植毛材料５８とを具えている。種々の他のヘッド形状を有するチップと同様に、チップ１０，１２および１４はまた、そこで研磨材料を受け取り、研磨処置中の患者の歯に高速で押し付けることができる。
【００２５】
チップ１２に関し、ファイバ４０は、ヘッド基材３６の少なくとも前側３７および必要に応じて前後両側にくまなく存在する。しかしながら、他の実施形態（図示せず）において、ファイバはヘッド基材３６の中央部４１に設けられているが、ファイバが患者の歯ぐきを叩きつけるのを阻止する目的で、その外縁３９に設けられておらず、かつ外縁３９を越えて延在していない。同様に別な実施形態（図示せず）において、ファイバ５８は、ヘッド基材５６の末端尖端部５７に設けられているが、ファイバが患者の歯ぐきを叩きつけるのを阻止するのに役立つよう、周縁５９およびその近傍には設けられていない。
【００２６】
図２は、個々の静電植毛チップ１０〜１４を形成するために植毛可能な未植毛チップ１０ａ〜１４ａの例を示している。植毛は、以下に論じられる如き静電処理によって具合よく行うことができる。図示のように、それぞれ未植毛チップ１０ａ〜１４ａは、これらに連結される個々の未植毛ヘッド基材２２，３６，５６を有する支柱１６，３０，５０を具えている。基材２２は、そこにキャビティ２５を有し、予防研磨カップの如きカップ形状が形成されるようになっている。ファイバは、キャビティ２５の内面２３に植毛されている。一実施形態において、カップ形状であるチップは、以下に論じられるように、そのキャビティ２５内にのみ植毛される。
【００２７】
本発明の植毛チップは、静電植毛の使用によって少なくとも部分的に形成されることが好ましい。しかしながら、他の実施形態において、チップは重力散布または要求される望ましい性能に依存した他の方法の如き他の植毛方法によって植毛可能である。例えば、一定量のファイバをヘッド基材の例えば接着剤に対して手によって、あるいはこれらを空気と共に吹き込むことによって、接着することができる可能性がある。
【００２８】
静電植毛は、これが便利で効率的な植毛方法であるので、またファイバをヘッド基材の少なくとも一部に均一に設けることができるので、好ましい。また、ファイバを基材表面に対してほぼ垂直な方向に設けることができ、種々の異なる利点を達成する。例えば、ファイバは、隣接するファイバが相互にほぼ平行であって、自由端がヘッド基材の表面から離れて延在するというような方法で植設されることができる。ペーストを平行なファイバの間の空間に保持することができる。さらに、ファイバは、静電植毛を用い、必要に応じて密集して、あるいは必要に応じてまばらに植設することができる。ファイバはまた、チップヘッドが歯に対して高速で回転するので、付加的な接着効果をもたらす。
【００２９】
図３〜図６は、歯科研磨チップ１０ａ〜１４ａを静電植毛するための種々の異なる可能な方法の１つの模式図を示している。図３は、植毛チャンバ７０の概念図を示している。植毛チャンバ７０は、植毛ファイバの供給源７２と研磨チップホルダ７４とを有する。植毛チャンバ７０は、チップホルダ７４に一体的に連結されるか、あるいはこれに他の方法、例えば７６で表した正の電極に連結可能な負の電極７５をさらに有する。一実施形態において、負に帯電したチップホルダ７４は、植毛チャンバ７０内の未植毛チップ１０ａを選択的に保持する。
【００３０】
ファイバを各研磨ヘッド基材２２に接着させるため、図４に示すように、例えばヘッド基材２２に接着剤７８を配することにより、接着層７８がヘッド基材２２に最初に形成される。必要に応じて、溶剤を研磨ヘッド基材２２に配することができ、特定の基材材料が用いられる場合、これによって接着層を形成する。図７４は、その外面に接着層７８を有するヘッド２２を示している。
【００３１】
接着層７８は、希望するファイバ被覆量に応じてヘッド基材２２の少なくとも外面の一部に形成される。ヘッド基材２２の接着層を有する部分は、そこでファイバを受け取り、静電気帯電が途絶えた場合であってもファイバがそこに接着するようになっている。しかしながら、接着層を欠くヘッド基材２２の部分は、静電気帯電が途絶えた場合、そこに接着されるファイバを有しない。
【００３２】
ここで図５を参照すると、接着層７８に対するファイバ２０の静電気付着の概念図が示されている。当業者であれば図４が「上向き植毛」として知られた技術を示していることを認識しよう。しかしながら、本発明では複数のファイバをヘッド基材２２の外面２９に静電気で付着させるための種々の異なる方法を用いることができる。このような別な方法は、下向き植毛，横向き植毛，傾斜植毛，または種々の異なる静電植毛方法を含む。
【００３３】
静電気帯電が植毛チャンバ７０内でなされると、ファイバ２４がファイバ供給源２４からヘッド基材２２へと運ばれる。次に、接着剤７８が固化可能となり、ファイバ２４をヘッド基材２２に接着する。静電気帯電環境にてファイバ２４を付着させることにより、ファイバ２４を均一な状態で植設することができる。
【００３４】
図６は、研磨ヘッド２０を形成するため、その外面に静電付着したファイバ２４を有するヘッド基材２２を示している。ファイバ２４は、その接着端にて接着層７８によりヘッド基材２２に連結されている。その反対の植毛ファイバ２０の自由端は、ヘッド基材２２から離れて延在している。
【００３５】
従って、図１，図５，図６（および図７Ａ〜図７Ｃ）に示すように、各静電植毛研磨チップヘッド（例えば２０，３８，５４，２０ｂ）は、(ｉ)ヘッド基材２２と、(ii)このヘッド基材に形成された接着層７８と、(iii)接着層７８に静電付着した複数の植毛ファイバ２４とを具えている。
【００３６】
図７Ａおよび７Ｂに示すように、一実施形態において、植毛ファイバ２４ｂは研磨ヘッド基材２２ｂの内側キャビティ２５ｂ内にのみ設けられ、これによってファイバが患者の歯に対して動かされた時に研磨ヘッド２０ｂのファイバ２４ｂが歯ぐきを叩きつけるのを阻止している。図７Ｂにはカップ形状であるチップ１０ｂの上面の横断面図が示されている。
【００３７】
また図７Ａに示すように、形成されたチップ１０ｂには、予防ペーストの如き研磨材料８２が研磨ペーストリザーバ８０から付与されることができる。図７Ｃには研磨材料が付与されたチップ１０ｂが示されている。図示のように、集合ファイバ２４ｂは、基材２２ｂの接着個所から離れて外側に突出することにより、予防材料８２をそこに少なくとも一時的に保持することができる都合のよいファイバのネットワーク２４ｂを形成する。
【００３８】
従って、図７Ａ〜図７Ｃの実施形態に示すように、本発明の一実施形態において、研磨ヘッド基材２２ｂに配される植毛ファイバ２４ｂは、その外側の側方部分ではない内面２３ｂにのみ設けられている。この運動は、ファイバがペーストを研磨ヘッドおよび歯に対して保持する機能を行うことを可能とすると共に、ファイバがヘッドの表面との過大な摩擦を阻止することを可能とするが、ヘッドを歯ぐきに隣接する歯に位置決めした場合、歯ぐきと接触する可能性がある外面にあるファイバの数を最少にする。従って、研磨ヘッドを歯ぐきに隣接する歯に位置決めした場合や、研磨ヘッドの外側の植毛されていない部分が歯ぐきの内側に位置決めされた場合のように、内面にあるファイバが歯に接触して研磨するので、歯ぐきを叩きつける可能性があるファイバは存在しないか、あっても極めて少ない。
【００３９】
チップ１０ｂを回転させるハンドピース１９の如き、チップ１０ｂが連結され、これによって歯を研磨するようにチップ１０ｂを駆動する歯科駆動装置による患者の歯の研磨が図８にさらに示されている。図８に示すように、チップ１０ｂの支柱１６ｂがハンドピース１９に連結されている（例えば交換可能に連結されている）。
【００４０】
種々の異なる形状，直径および寸法を有する種々の異なる植毛ファイバを本発明にて用いることができる。本発明にて用いられる植毛ファイバは、電荷に応じてファイバの帯電量が強まる（ＡＣまたはＤＣ被覆植毛ファイバの如き）被覆静電植毛ファイバであってよい。
【００４１】
本発明の植毛ファイバは、種々の異なる天然および／または合成材料、例えばナイロン，ネオプレン，レーヨン，合成ポリエステル，ダクロン（登録商標），または合成ポリエステルのようなものからなるものであってよい。
【００４２】
一実施形態において、本発明にて用いられる植毛ファイバの長さは、例えば約０.００５インチから約０.３インチ、好ましくは０.０１インクから約０.１インチ、より好ましくは０.０２５インチから約０.０７５インチの範囲にあってよい。しかしながら、種々の異なる長さのファイバを用いることができ、この範囲は単なる例示によってのみ与えられる。つまり、１つの可能な長さは約０.０３インチから約０.０４インチである。
【００４３】
種々の直径が望ましい用途に応じて利用可能であるけれども、本発明で用いられる植毛ファイバの直径は、望ましい実施形態に応じて約０.２デニールから約１００デニールの範囲にあってよい。例えば、約１.５デニールから約４０デニールの直径を有するファイバは、仕上げ研磨に用いることができのに対し、約４０デニールから約１００デニールまたは約４０デニールから約８０デニールの直径を有するファイバは、例えば年１回の清掃のための研磨の如き、より荒い研磨に用いることができる。しかしながら、ファイバのデニールは、希望することができる研磨の種類に大きく依存し、望ましい研磨の種類に応じて種々の異なるファイバを用いることができる。長さの同じまたは異なるファイバは、異なる効果を達成するために直径を異ならせることができる。
【００４４】
１つの方法によると、接着層を形成するステップは、水に溶けない接着剤を基材本体の表面に設けることを具えている。しかしながら、言及されるように、他の方法によると、接着層は基材本体の表面の少なくとも一部に溶剤を塗布することによって形成され、基材本体にファイバを固定する接着層の形成をもたらす。
【００４５】
用いられる望ましいファイバおよび基材本体に応じて種々の異なる接着剤を本発明にて用いることができる。有用な接着剤の例は、シアノアクリレート，エポキシ，ウレタン，１成分および２成分エポキシ，１成分および２成分ポリウレタン，紫外線硬化型接着剤およびこの分野にて用いられる他の接着剤を含む。一実施形態において、軟質または半軟質接着剤が接着層に用いられる。
【００４６】
本発明のチップが患者の口内で使用されるように設計されているので、本発明の接着層は、患者の口内で任意の流体が接着層を損傷するのを阻止するように、その硬化によって耐水性となるように設計されている。一実施形態において、静電植毛は約２５％から約９５％の湿度、例えば約６５％の湿度にて行なわれる。
【００４７】
従って、本発明の研磨チップを製造するための方法は、(ｉ)基端部および末端部を有し、 基端部が歯科駆動装置に連結するようになっている支柱を用意することと、(ii)この支柱の末端部に研磨ヘッド基材を連結することと、(iii)この研磨ヘッド基材に複数のファイバを連結することとを具えている。
【００４８】
研磨ヘッド基材を支柱の末端部に連結する方法は、ヘッド基材を用意し、このヘッド基材に支柱を装着することによるか、または研磨ヘッド基材を支柱に形成することによる（例えばヘッド基材が支柱に成形される成形工程による）ような、種々の異なる方法によって達成することができる。支柱は、研磨ヘッド基材に対するファイバの連結の前後にヘッド基材に連結することができる。
【００４９】
ファイバを基材に溶接または融着したり、ファイバを基材に成形したり、あるいは基材をこれと一体に連結されるファイバと共に形成したりすることなどの他の方法によって、ファイバを研磨ヘッド基材に連結することができる。しかしながら、静電植毛が好ましい。
【００５０】
本発明のさらに他の実施形態において、植毛ファイバの集合体を分ける研磨ヘッド基材の未植毛部分を有する領域とは別個に、ファイバを研磨ヘッド基材に植毛することができる。このような集合体は、個々の列，円形の集合体（例えば点），正方形の集合体または他の形状を有する集合体形状であってよい。
【００５１】
例えば、一実施形態において、ヘッド基材に対して４つの植毛ファイバの列がヘッド基材の植毛されない部分によって分けられている。必要に応じてこのような列を１つ，２つ，３つ，５つ，６つ，または他の任意の組み合わせて用いることができる。
【００５２】
このような集合体の使用に関する１つの利点は、ペースト材料が集合体の間（例えば列の間）に一時的に保持されることができるということである。加えて、このような集合体の使用は、接着剤の使用を節約することができ、より少ない接着剤（すなわち集合体を形成するために必要な接着剤のみ）を製造工程中に用いることができるようになっている。
【００５３】
本発明は、その意図または本質的特徴から逸脱することなく、他の特定な形態にて具体化させることができる。記述された実施形態は、単なる例示であって限定ではないように、あらゆる点で考慮されるべきである。従って、本発明の範囲は、前述の説明によるのではなく、添付された特許請求の範囲によって示されている。特許請求の範囲と同等の意味および範囲に含まれるすべての変更は、その範囲内に含まれるべきである。
【図面の簡単な説明】
【００５４】
【図１】本発明の複数の静電植毛歯科研磨チップの図である。
【図２】植毛材料を設ける前の図１のチップの図である。
【図３】チップを静電植毛する準備中の静電植毛チャンバに配された図２の植毛してないチップの概念図である。
【図４】図３の研磨ヘッド基材に配される接着剤の概念図を示す。
【図５】接着剤を含む本発明の歯科研磨ヘッド基材を静電植毛するため、植毛材料供給源から放出される植毛材料の概念図である。
【図６】本発明の静電植毛チップの概念図である。
【図７Ａ】研磨ペーストリザーバ８０内に配され、それによって研磨ペースト８２をチップに詰め込む他の静電植毛歯科研磨チップの破断図である。
【図７Ｂ】ヘッド基材の植毛された表面を示す図７Ａのチップの破断図である。
【図７Ｃ】ペースト材料８２をチップに詰め込んだ後の図７Ａのチップの図である。
【図８】図１に示す如き本発明のチップを使用した研磨処置に用いられる歯科駆動装の図である。
【図１】
2005520623.tif 000003
【図２】
2005520623.tif 000004
【図３】
2005520623.tif 000005
【図４】
2005520623.tif 000006
【図５】
2005520623.tif 000007
【図６】
2005520623.tif 000008
【図７Ａ】
2005520623.tif 000009
【図７Ｂ】
2005520623.tif 000010
【図７Ｃ】
2005520623.tif 000011
【図８】
2005520623.tif 000012
【国際調査報告】
2005520623.tif 000013